(57)【要約】  【課題】現用系パスと予備系パスが設定される光ネットワークにおいて、ＰＸＣ−ＷＤＭ間の障害を切り分けることができ、光ネットワークの高信頼かつ高効率な運用を可能にした、ＰＸＣとＷＤＭの連係方式を提供すること。  【解決手段】光クロスコネクト装置(PXC)３−４間に伝送装置(WDM)５，７を通る現用系パスが設定され、また、伝送装置(WDM)６，８を通る予備系パスが設定される。ＷＤＭ５，７は、現用系パスが設定されたとき、ＰＸＣ５，７と連係してその間のマスク処理を解除し、現用系パスが削除されたとき、その間のマスク処理を設定する。現用系パスに含まれるＷＤＭ５，７は、入力光が断となれば適切にアラームを監視系に送出し、予備系パスに含まれるＷＤＭ６，８は入力光が断であっても意図しないアラームを監視系に送出しない。  【選択図】図１
2006222632.tif 000002
【特許請求の範囲】
【請求項１】
現用系パスと予備系パスが設定される光ネットワークにおける光クロスコネクト装置と伝送装置の連係方式において、
現用系切替設定信号を含む現用系パス設定要求信号に基づいて現用系パスが設定されたとき、該現用系パスの経路に含まれる光クロスコネクト装置と伝送装置とが連係してその間のマスク処理を解除し、
現用系パス削除要求信号に基づいて現用系パスが削除されたとき、該削除された現用系パスの経路に含まれる光クロスコネクト装置と伝送装置とが連係してその間のマスク処理を設定することを特徴とする光クロスコネクト装置と伝送装置の連係方式。
【請求項２】
伝送装置は、ＧＭＰＬＳプロトコルにより伝送装置間のリンク障害を検知する機能を有し、リンク障害が予備系パスである場合には該予備系パスへの切替えを不可にすることを特徴とする請求項１に記載の光クロスコネクト装置と伝送装置の連係方式。
【請求項３】
光クロスコネクト装置が冗長構成をもつことを特徴とする請求項１または２に記載の光クロスコネクト装置と伝送装置の連係方式。
【請求項４】
光クロスコネクト装置に外部接続されるクライアント装置が冗長構成をもつことを特徴とする請求項１または２に記載の光クロスコネクト装置と伝送装置の連係方式。
【発明の詳細な説明】
【技術分野】
【０００１】
本発明は、光クロスコネクト装置と伝送装置の連係方式に関し、特に、光ネットワークの高信頼かつ高効率な運用を可能にした光クロスコネクト装置と伝送装置の連係方式に関する。
【背景技術】
【０００２】
光クロスコネクト装置(PXC)を用いたＧＭＰＬＳ光ネットワークにおける回線には、クライアント装置からの光信号が挿入され、現に使用されている現用系の回線と、光信号が挿入されておらず、バックアップ用に確保された予備系の回線(１＋１プロテクションを除く)が存在する。
【０００３】
ＷＤＭなどの伝送装置(以下、ＷＤＭと称す。)においてＰＸＣから入力される光が有るか否かによってＰＸＣ−ＷＤＭ間の障害を検知することを考えた場合、予備系を構成するＷＤＭにはＰＸＣから光が入力されないので、ＰＸＣ−ＷＤＭ間に障害が生じたために光が入力されないのか、その間が予備系となっているために光が入力されないのかを区別できない。したがって、ＷＤＭにＰＸＣから光が入力されるか否かでＰＸＣ−ＷＤＭ間の障害を検知することはできない。この問題を回避するため、従来では、ＰＸＣ−ＷＤＭ間の障害アラームを全てマスク処理してＰＸＣ−ＷＤＭ間の障害は無視するなどの手段がとられていた。
【発明の開示】
【発明が解決しようとする課題】
【０００４】
しかしながら、上記した従来の手段では、ＰＸＣ−ＷＤＭ間の障害アラームが全てマスク処理されてＰＸＣ−ＷＤＭ間の障害は全て無視されるため、運用者はＰＸＣ−ＷＤＭ間の障害を切り分けることができず、障害が発生した際の迅速な対応を採ることができないという課題があった。
【０００５】
本発明の目的は、上記課題を解決し、ＰＸＣ−ＷＤＭ間の障害を切り分けることができ、光ネットワークの高信頼かつ高効率な運用を可能にした、ＰＸＣとＷＤＭの連係方式を提供することにある。
【課題を解決するための手段】
【０００６】
上記課題を解決するために、本発明は、現用系パスと予備系パスが設定される光ネットワークにおける光クロスコネクト装置と伝送装置の連係方式において、現用系切替設定信号を含む現用系パス設定要求信号に基づいて現用系パスが設定されたとき、該現用系パスの経路に含まれる光クロスコネクト装置と伝送装置とが連係してその間のマスク処理を解除し、現用系パス削除要求信号に基づいて現用系パスが削除されたとき、該削除された現用系パスの経路に含まれる光クロスコネクト装置と伝送装置とが連係してその間のマスク処理を設定する点に第１の特徴がある。
【０００７】
また、本発明は、伝送装置は、ＧＭＰＬＳプロトコルにより伝送装置間のリンク障害を検知する機能を有し、リンク障害が予備系パスである場合には該予備系パスへの切替えを不可にする点に第２の特徴がある。
【０００８】
本発明が適用される光ネットワークの基本構成は、光クロスコネクト装置あるいは光クロスコネクト装置に外部接続されるクライアント端末が冗長構成を持つ。
【発明の効果】
【０００９】
本発明によれば、ＷＤＭは、ＰＸＣと連係して自装置が現用系であるか予備系であるかを認識し、現用系と認識した場合にはマスク処理を解除する。ここで、ＷＤＭにＰＸＣから光が入力されなくなると、ＷＤＭは、それをＰＸＣ−ＷＤＭ間の障害として検知し、障害アラームを監視系に送出し、また、ＰＸＣへ障害を通知することができる。
【００１０】
また、ＷＤＭは、自装置を予備系と認識した場合にはマスク処理を設定する。予備系ではＷＤＭにＰＸＣから光が入力されないが、ＷＤＭは、それを障害として検知しないので、意図しないアラームを監視系に送出しない。
【００１１】
これにより、ＰＸＣ−ＷＤＭ間の障害を切り分けて障害に対する適切かつ迅速な対処が可能になり、光ネットワークの効率的な運用が可能になる。
【００１２】
また、ＮＭＳやＥＭＳ上でＰＸＣと連携したＷＤＭリンクの管理運用を行う場合、ＳＮＭＰやＴＬ１などの管理用プロトコルを用いてＷＤＭリンクが運用か非運用かを表示することが可能となり、運用を効率的に行うことができる。
【００１３】
さらに、リンク障害が発生している予備系が現用系に切り替えられるのを未然に防ぐことができるので、無駄な切替をなくし、光ネットワークの運用を効率的に行うことができる。
【発明を実施するための最良の形態】
【００１４】
以下、図面を参照して本発明を説明する。図１は、本発明が適用される光ネットワークの基本構成を示すブロック図である。このネットワークの基本構成は、ＰＸＣが冗長構成を持ち、ＰＸＣを波長パスのイニシエータノードとした例である。クライアント装置１，２にそれぞれＰＸＣ３，４が接続され、ＰＸＣ３に伝送装置（以下、ＷＤＭと称す。）５，６が接続され、ＰＸＣ４にＷＤＭ７，８が接続される。クライアント装置１，２は、ルータやＬ２スイッチなどである。
【００１５】
例えば、ＰＸＣ３−ＷＤＭ５−ＷＤＭ７−ＰＸＣ４に現用系の波長パスが設定され、ＰＸＣ３−ＷＤＭ６−ＷＤＭ８−ＰＸＣ４に予備系(障害復旧用)の波長パスが設定されたすると、ＰＸＣ３，４は、まず、現用系を通してクライアント装置１からの光信号をクライアント装置２へ伝送する。図１では、現用系を太実線で示し、予備系を破線で示している、現用系には光信号が通っており、予備系には、光信号が通っていない。だだし、ＷＤＭ６，８間（太破線）には情報を含まない光が通っている。
【００１６】
ここで、現用系で障害が検知されると、ＰＸＣ３，４は、予備系を使用してクライアント装置１からの光信号をクライアント装置２へ伝送するように切り替える。
【００１７】
図２は、本発明が適用される光ネットワークの他の基本構成を示すブロック図である。この光ネットワークの基本構成は、クライアント装置が冗長構成を持ち、クライアント装置を波長パスのイニシエータノードとした例である。
【００１８】
クライアント装置１，２にそれぞれＰＸＣ３，４が接続され、ＰＸＣ３に伝送装置（以下、ＷＤＭと称す。）５，６が接続され、ＰＸＣ４にＷＤＭ７，８が接続される。例えばクライアント装置１−ＰＸＣ３−ＷＤＭ５−ＷＤＭ７−ＰＸＣ４クライアント装置２に現用系が設定され、クライアント装置１−ＰＸＣ３−ＷＤＭ６−ＷＤＭ８−ＰＸＣ４−クライアント装置２に予備系が設定される。ここでも、現用系で障害が検知されると予備系への切替がなされる。図２の太線、破線、太破線は、図１と同じことを示している。
【００１９】
図３〜図５は、ＰＸＣ３が波長パスのイニシエータノードの場合のＷＤＭ５〜８とＰＸＣ３，４の連係動作を説明するためのブロック図であり、図６〜図８は、その動作を示すフローチャートである。
【００２０】
まず、現用系パス設定時の動作を図３と図６を参照して説明する。現用系パスを設定する時、ＰＸＣ(イニシエータノード)３から現用系切替設定信号を含む現用系パス設定要求信号を送出する(Ｓ６１)。あて先のＰＸＣ(ディスティネーションノード)４は、現用系パス設定要求信号を受信すると、ＷＤＭ６をクライアント端末２に接続する現用系パスを設定し、現用系切替完了信号を送出する(Ｓ６２)。なお、現用系パスの設定に際しては、クライアント装置１からの光信号の伝送に必要な帯域をＷＤＭ５−６間のリンクで確保可能かどうかを判定し、この帯域を確保可能であるときに現用系パスを設定する。
【００２１】
ＰＸＣ３は、現用系切替完了信号を受信する。現用系切替設定信号を受信したＰＸＣ４、および現用系切替完了信号を受信したＰＸＣ３は、自ＰＸＣに隣接するＷＤＭ５，６に対してそれぞれマスク処理解除制御信号を送出する(Ｓ６３)。マスク処理解除制御信号は、現用系に切り替わったことを通知する信号である。ＷＤＭ５，６は、マスク処理解除制御信号を受信すると、ＰＸＣ３，４との間のマスク処理を解除する(Ｓ６４)。
【００２２】
マスク処理が解除されると、ＷＤＭ５，６は、ＰＸＣ３，４からの光の有無に従ってＰＸＣ３，４−ＷＤＭ５，６間の障害検知が可能となる。ここで、ＷＤＭ５，６は、ＰＸＣ３，４から光が入力されなくなればＰＸＣ３，４−ＷＤＭ５，６間に障害が発生したと判断して障害アラームを監視系に送出する。
【００２３】
次に、現用系パス削除時の動作を図４と図７を参照して説明する。現用系パスを削除する時、ＰＸＣ(イニシエータノード)３から現用系パス削除要求信号を送出する(Ｓ７１)。あて先のＰＸＣ４(ディスティネーションノード)は、現用系パス削除要求信号を受信すると、現用系パスを削除し、現用系パス削除完了信号を送出する(Ｓ７２)。
【００２４】
ＰＸＣ３は、現用系パス削除完了信号を受信する。現用系パス削除要求信号を受信したＰＸＣ４、および現用系パス削除完了信号を受信したＰＸＣ３は、自装置に隣接するＷＤＭ５，６に対してそれぞれマスク処理設定制御信号(1)を送出する(Ｓ７３)。マスク処理設定制御信号(1)は、現用系パスが削除されたことを通知する信号である。ＷＤＭ５，６は、マスク処理設定制御信号(1)を受信すると、ＰＸＣ３，４との間のマスク処理を設定する(Ｓ７４)。
【００２５】
マスク処理が設定されると、ＷＤＭ５，６は、ＰＸＣ３，４からの光が入力されなくてもＰＸＣ３，４−ＷＤＭ５，６間に障害が発生したとは判断しない。したがって、ＷＤＭ５，６から意図しない障害アラームが監視系に送出されることはない。
【００２６】
次に、現用系パスから予備系パスへのパス切替時の動作を図５と図８を参照して説明する。現用パスの経路での障害発生などにより現用系パスから予備系パスに波長パスを切り替える時、ＰＸＣ(イニシエータノード)３から予備系パス切替設定要求信号を送出する(Ｓ８１)。あて先のＰＸＣ４(ディスティネーションノード)は、予備系切替設定要求信号を受信すると現用系パスから予備系パスへ波長パスを切り替え、予備系パス切替完了信号を送出する(Ｓ８２)。
【００２７】
ＰＸＣ３は、予備系切替完了信号を受信する。予備系切替設定要求信号を受信したＰＸＣ４、および予備系切替完了信号を受信したＰＸＣ３は、自装置に隣接するＷＤＭ５，６に対してそれぞれマスク処理設定制御信号(2)を送出する(Ｓ８３)。マスク処理設定制御信号(2)は、現用系から予備系に切り替わったことを通知する信号である。これは上記マスク処理設定制御信号(1)と同じでよい。ＷＤＭ５，６は、マスク処理設定制御信号(2)を受信すると、ＰＸＣ３，４との間のマスク処理を設定する(Ｓ８４)。
【００２８】
Ｓ８１〜Ｓ８４は、今まで現用系にあった系の動作であるが、この切替により予備系から現用系になる系の動作は、図３と図６を参照して説明した現用系パス設定時の動作と同じであるので説明を省略する。
【００２９】
以上のように、本発明では、現用系パスの設定や解除、現用系パスから予備系パスへの切り替えに従ってＰＸＣとの間のマスク処理を設定したり解除したりするので、現用系パスに含まれるＷＤＭは適切にアラームを監視系に送出し、予備系パスに含まれるＷＤＭは意図しないアラームを監視系に送出しない。
【００３０】
なお、上記のマスク処理解除制御信号やマスク処理設定制御信号などの管理情報の送受信は、ＰＸＣとＷＤＭに実装されているＧＭＰＬＳプロトコルにより実現可能である。
【００３１】
図９は、予備系のリンク障害通知の動作を示すブロック図であり、図１０は、その動作を示すフローチャートである。この動作によって予備系のＷＤＭ間のリンク障害をＰＸＣに通知し、障害が発生している予備系を現用系に切り替えるのを未然になくすことができる。
【００３２】
ＰＸＣ３，４は、ＧＭＰＬＳプロトコルにしたがって経路制御信号を相互に送受信している。ここで、予備系のＷＤＭ６−８間のリンクで障害が発生したとすると、ＷＤＭ６，８はその障害を検知し、ＰＸＣ３，４にリンク障害通知信号を送出する（Ｓ１０１）。ＰＸＣ５，６は、リンク障害通知信号を受信すると、経路制御信号にこの障害を反映させ、リンクの使用可能帯域を０とする（Ｓ１０２）。ＰＸＣ３，４では、ＷＤＭ６，８間で障害が発生していることが予め分かるので、この予備系を現用系に切り替えることを不可とする（Ｓ１０３）。これによりイニシエータのＰＸＣ３は、現用系に障害が起こった場合にも、障害となっている予備系への無駄な切替を行わない。
【００３３】
以上はＰＸＣが冗長構成を持って波長パスのイニシエータノードである場合であるが、図２に示すように、クライアント装置が冗長構成を持って波長パスのイニシエータノードとなる場合は、クライアント装置１−２間で直接、あるいはＷＤＭ５，６を介して現用系切替設定信号を含む現用系パス設定要求信号と現用系切替完了信号、あるいは現用系パス削除要求信号と現用系パス削除完了信号、あるいは予備系切替設定要求信号と予備系切替完了信号が送受信される。
【００３４】
クライアント装置１，２は、現用系切替設定信号あるいは現用系切替完了信号を受信するとＷＤＭ５，６に対してマスク処理解除制御信号を送出し、現用系パス削除要求信号あるいは現用系パス削除完了信号、予備系切替設定要求信号あるいは予備系切替完了信号を受信するとＷＤＭ５，６に対してマスク処理設定制御信号を送出する。
【００３５】
ＷＤＭ５，６はマスク処理解除制御信号を受信するとＰＸＣ３，４との間のマスク処理を解除し、ＰＸＣ３，４−ＷＤＭ５，６間の障害を検知して適切にアラームを監視系に送出する。また、マスク処理設定制御信号を受信するとＰＸＣ３，４との間のマスク処理を設定し、ＰＸＣ３，４から光が入力されなくてもアラームを監視系に送出しない。
【００３６】
本発明は、ＰＸＣとＷＤＭが３段以上の多段に接続された構成の光ネットワークにも適用することができ、そのような構成では各ＰＸＣ−ＷＤＭ間のマスク処理が設定／解除される。
【図面の簡単な説明】
【００３７】
【図１】本発明が適用される光ネットワークの基本構成を示すブロック図である。
【図２】本発明が適用される光ネットワークの他の基本構成を示すブロック図である。
【図３】現用系パス設定時の動作を説明するためのブロック図である。
【図４】現用系パス削除時の動作を説明するためのブロック図である。
【図５】現用系から予備系へのパス切替時の動作を説明するためのブロック図である。
【図６】現用系パス設定時の動作を示すフローチャートである。
【図７】現用系パス削除時の動作を示すフローチャートである。
【図８】現用系から予備系へのパス切替時の動作を示すフローチャートである。
【図９】予備系のリンク障害通知の動作を示すブロック図である。
【図１０】予備系のリンク障害通知の動作を示すフローチャートである。
【符号の説明】
【００３８】
１，２・・・クライアント装置、３，４・・・ＰＸＣ、５〜８・・・ＷＤＭ
【図１】
2006222632.tif 000003
【図２】
2006222632.tif 000004
【図３】
2006222632.tif 000005
【図４】
2006222632.tif 000006
【図５】
2006222632.tif 000007
【図６】
2006222632.tif 000008
【図７】
2006222632.tif 000009
【図８】
2006222632.tif 000010
【図９】
2006222632.tif 000011
【図１０】
2006222632.tif 000012